(57)【要約】 【課題】本発明は、既設のダムは、改造して、現在の貯水量を少なくとも倍にし、発電量は、もっと増やして数倍にし、新設の時は、費用帯効果を高める、方法を開発する事を課題とします。【解決手段】  図２の図面は、多連式ダムのイメージ図１です。側面図で、山側とダムの間に堰堤をつくっています。山側の堰堤が高く、山の高さのすぐ下まであります。理論的には、真ん中の谷が、1番下にあり、そこから堰堤は、立ち上がり始め、両側の山を超えない所迄は、立ち上げて良い事に成ります。その高さが1番最初の堰堤の高さで、それ以降は、ダムに近い方が、段々低くなり、最後の堰堤の高さは、ダムの計画水位より高い位置に決めます。堰堤個々の強度が水圧に耐えうる物で有れば、ダムの貯水量は、明らかに増えます。堰堤から次の堰堤に送水する時に発電します。【選択図】  図２
2014020089.tif 000002
【特許請求の範囲】
【請求項１】
ダムや貯水場に堰堤を数箇所設け、最初の流入がある前記堰堤を1番高くし、前記ダムの水面や前記貯水場縁を1番低くなるようにし、その間の前記堰堤を多連式とし、段々に低くする事を特徴とする 
多連式ダムと多連式貯水場水力発電システム。
【請求項２】
前記堰堤と次の前記堰堤間を送水管で繋ぎ、次々と前記堰堤どうしを送水管でつなぎ前記ダムの前記水面か、前記貯水場の水面まで到着させる
事を特徴とする請求項１に記載の
多連式ダムと多連式貯水場水力発電システム。
【請求項３】
前記送水管は、前記堰堤横から、鉛直に立ち上がり、上部で水平に成り、其の侭、次の前記堰堤に向かい、次の前記堰堤の上で鉛直に下り、前記送水管の吸込側に仕切弁と吐出側に前記仕切弁、減圧装置、水力発電機を取り付けし、前記減圧装置の稼働により、前記送水管は、送水を開始し、発電する事を特徴とする事を特徴とする請求項１〜２の何れか１項に記載の
多連式ダムと多連式貯水場水力発電システム。
【発明の詳細な説明】
【技術分野】
【０００１】
近年、原子力発電の神話が揺らぎ、電力不足に陥り、節電の重要性と、必然性
が叫ばれています。最近は、企業のみならず、一般家庭でも、節電への協力、
努力が、不可欠と成って来ています。太陽光発電や照明のLED化等、いろんな
形で節電が実施されています。
【０００２】
電力不足を補う為に、休止中の火力発電所を再稼働させたりしていますが、
燃料代が高い為に、電気料金値上げなどの声も上がって来ています。燃料費が安く、効率のよい発電が切に求められています。
【０００３】
平成24年7月1日から、再生可能エネルギーの買取制度が  スタートしました。自然エネルギーを高い効率で回収することが、  今後の大きなテーマです。その方法、若しくは、技術確率する事が、大きな課題です。
【背景技術】
【０００４】
特願2012-023800が、私が、開発した水力発電システムが、述べられています。      
【０００５】
特願2012-105616や特願2012-148078が、私が、開発した水力発電システムが、述べられています。
【先行技術文献】
【特許文献】
【０００６】
【特許文献１】特願2012-023800
【特許文献２】特願2012-105616
【特許文献３】特願2012-148078
【発明の概要】
【発明が解決しようとする課題】
【０００７】
日本国内に多数のダムがありますが、水の豊富な日本としては、電気不足の今日こそ、全国にダムを増やして、電力供給を増やしたいところです。現在、新規にダム建設の計画は、ありません。その理由としては、建設に伴い、付近住民の反対等が、過去、大きかったことや、建設コストが、巨額になること等が、考えられます。本発明は、既設のダムは、改造して、現在の貯水量を少なくとも倍にし、発電量は、もっと増やして数倍にし、新設の時は、費用帯効果を高める、方法を開発する事を課題とします。
貯水場も同様に、貯水量を倍にし、発電量は、現在ゼロですが、発電が、可能に成ります。
【課題を解決するための手段】
【０００８】
ダムや貯水場に堰堤を数箇所設け、最初の流入がある前記堰堤を1番高くし、  前記ダムの水面や前記貯水場縁を1番低くなるようにし、その間の前記堰堤を  多連式とし、段々に低くする事を特徴とします。 
【０００９】
前記堰堤と次の前記堰堤間を送水管で繋ぎ、次々と前記堰堤どうしを送水管で  つなぎ前記ダムの前記水面か、前記貯水場の水面まで到着させる
事を特徴とします。
【００１０】
前記送水管は、前記堰堤横から、鉛直に立ち上がり、上部で水平に成り、其の侭、次の前記堰堤に向かい、次の前記堰堤の上で鉛直に下り、前記送水管の吸込側に仕切弁と吐出側に前記仕切弁、減圧装置、水力発電機を取り付けし、前記減圧装置の稼働により、前記送水管は、送水を開始し、発電する事を特徴とします。この考えは、私の特願2012-023800で採用しています。
【発明の効果】
【００１１】
ダムと貯水場に水が、貯まってきている時に、発電をしながら集まってくる、更に堰堤を設け、高くした分だけ、貯水量が増えます。その効果は、計り知れないと考えられます。
【図面の簡単な説明】
【００１２】
【図１】通常のダムのイメージ図
【図２】多連式ダムのイメージ図１
【図３】多連式ダムのイメージ図２
【図４】通常の貯水場のイメージ図
【図５】多連式貯水場イメージ図
【図６】サイフォン管送水イメージ図
【符号の説明】
【００１３】
１            仕切弁
２            減圧装置
３            水力発電機
【発明を実施するための形態】
【００１４】
以下、本発明の実施の形態を図に基づいて説明します。
図１の図面は、通常のダムのイメージ図です。
この段階では、水は、集まってきただけで、何の仕事もしていません。
【００１５】
図２の図面は、多連式ダムのイメージ図１です。
側面図で、山側とダムの間に堰堤をつくっています。
山側の堰堤が高く、山の高さのすぐ下まであります。理論的には、真ん中の谷が、1番下にあり、そこから堰堤は、立ち上がり始め、両側の山を超えない所迄は、立ち上げて良い事に成ります。その高さが1番最初の堰堤の高さで、それ以降は、ダムに近い方が、段々低くなり、最後の堰堤の高さは、ダムの計画水位より高い位置に決めます。堰堤個々の強度が水圧に耐えうる物で有れば、ダムの貯水量は、明らかに増えます。堰堤から次の堰堤に送水する時に発電します。
【００１６】
図３の図面は、多連式ダムのイメージ図２です。
正面図で、山と山の間の谷に、堰堤を設置します。
【００１７】
図４は、通常の貯水場のイメージ図です。
【００１８】
図５は、多連式貯水場イメージ図です。
流入側が、1番高く、段々に低くなる堰堤を取り付けています。貯水場で、発電します。貯水量も増えています。
【００１９】
図６は、サイフォン管送水イメージ図です。
ここで、送水管で、堰堤の高い水位の水を低い水位側へ送水します。送水管は、、鉛直に立ち上がり、上部で水平に成り、其の侭、放流予定地点に向かい、放流予定地点の上で鉛直に下り、送水管の吸込側に仕切弁１と吐出側に仕切弁１、減圧装置２、水力発電機３を取り付けし、減圧装置２の稼働により、送水管は、送水を開始し、発電します。
【図１】
2014020089.tif 000003
【図２】
2014020089.tif 000004
【図３】
2014020089.tif 000005
【図４】
2014020089.tif 000006
【図５】
2014020089.tif 000007
【図６】
2014020089.tif 000008
【手続補正書】
【提出日】平成24年9月18日(2012.9.18)
【手続補正１】
【補正対象書類名】特許請求の範囲
【補正対象項目名】全文
【補正方法】変更
【補正の内容】
【特許請求の範囲】
【請求項１】
ダムや貯水場等の貯水設備の貯水部分を、複数の堰堤で区画し、前記各区画内の水位が流れ方向でみて上流側でより高くなるように、流れ方向でみて上流側及び下流側に隣接する各二つの堰堤において、上流側の堰堤の高さが下流側の堰堤の高さよりも高くなるように設定しており、さらに、流れ方向でみて上流側及び下流側に隣接する各二つの区画間を送水管で繋ぎ、前記各送水管の吐出側にそれぞれ水力発電機を取り付けた事を特徴とする 
多連式ダムと多連式貯水場水力発電システム。
【請求項２】
流れ方向でみて、上流側及び下流側に隣接する各二つの区画それぞれ全てを送水管で繋ぎ、堰堤のない状態のダムの水位と堰堤のない状態の貯水場の水位
を水面まで到着させる事を特徴とする請求項１に記載の
多連式ダムと多連式貯水場水力発電システム。
【請求項３】
前記各送水管は、前記堰堤横から、サイフォン状に鉛直に立ち上がり、上部で水平に成り、其の侭、次の前記堰堤に向かい、次の前記堰堤の上で鉛直に下り、前記送水管の吸込側に仕切弁を吐出側に仕切弁、減圧装置、水力発電機を取り付けし、前記減圧装置の稼働により、前記送水管内は、負圧となり、前記送水管は、サイフォンを形成して、送水を開始し、
発電する事を特徴とする請求項１〜２の何れか１項に記載の
多連式ダムと多連式貯水場水力発電システム。
【手続補正書】
【提出日】平成24年10月17日(2012.10.17)
【手続補正２】
【補正対象書類名】特許請求の範囲
【補正対象項目名】全文
【補正方法】変更
【補正の内容】
【特許請求の範囲】
【請求項１】
ダムや貯水場等の貯水設備の貯水部分を、複数の堰堤で区画し、前記各区画内の水位が流れ方向でみて上流側でより高くなるように、流れ方向でみて上流側及び下流側に隣接する各二つの堰堤において、上流側の堰堤の高さが下流側の堰堤の高さよりも高くなるように設定しており、さらに、流れ方向でみて上流側及び下流側に隣接する各二つの区画間を送水管で繋ぎ、前記各送水管の吐出側にそれぞれ水力発電機を取り付けた事を特徴とする 
多連式ダムまたは多連式貯水場水力発電システム。
【請求項２】
流れ方向でみて、上流側及び下流側に隣接する各二つの区画それぞれ全てを送水管で繋ぎ、堰堤のない状態のダムの水位または堰堤のない状態の貯水場の水位まで到着させる事を特徴とする請求項１に記載の
多連式ダムまたは多連式貯水場水力発電システム。
【請求項３】
前記各送水管は、前記堰堤横から、サイフォン状に鉛直に立ち上がり、上部で水平に成り、其の侭、次の前記堰堤に向かい、次の前記堰堤の上で鉛直に下り、前記送水管の吸込側に仕切弁を吐出側に仕切弁、減圧装置、水力発電機を取り付けし、前記減圧装置の稼働により、前記送水管内は、負圧となり、前記送水管は、サイフォンを形成して、送水を開始し、
発電する事を特徴とする請求項１〜２の何れか１項に記載の
多連式ダムまたは多連式貯水場水力発電システム。